(57)【要約】【課題】傘を閉じる際手を濡らさずに隣設する親骨間毎に略三角形状に畳まれた生布部分を簡単に巻き揃えられると共に、当該巻き揃えた生布部分を確実に保持できる傘用束ね具を提供する。【解決手段】傘用束ね具１０は、束ね具本体１２と、この束ね具本体１２に貫通形成された束ね孔１８とを備える。束ね孔１８は、閉じられた傘５０を当該束ね孔１８に差し入れたときに、当該傘５０の隣設する親骨５２間毎に略三角形状に折り畳まれた生布部分５４に束ね具本体１２を外装可能な寸法を有すると共に、相互の間隔が狭い一対の平行な狭窄部２０と、各狭窄部２０に隣設された逃げ部空間２２とを有する。【選択図】図１
2014018344.tif 000002
【特許請求の範囲】
【請求項１】
束ね具本体と、
該束ね具本体に貫通形成された束ね孔とを備え、
該束ね孔は、閉じられた傘を当該束ね孔に差し入れたときに、当該傘の隣設する親骨間毎に略三角形状に折り畳まれた生布部分に前記束ね具本体を外装可能な寸法を有すると共に、相互の間隔が狭い一対の平行な狭窄部と、各狭窄部に隣設された逃げ部空間とを有することを特徴とする傘用束ね具。
【請求項２】
前記束ね具本体は、前記束ね孔の周縁部より起立する鍔を有し、該鍔の前記束ね孔側の内面基部は、滑らかに湾曲していることを特徴とする請求項１に記載の傘用束ね具。
【請求項３】
前記束ね具本体は板状を呈すると共に、前記束ね孔よりも当該束ね具本体の縁部側の前記鍔が起立する側の面に形成された突起若しくは凹みから成る係合部を有することを特徴とする請求項２に記載の傘用束ね具。
【請求項４】
前記束ね具本体は、前記束ね孔に並設され、当該束ね孔よりも小さい貫通孔を有することを特徴とする請求項１乃至請求項３のうちの何れかに記載の傘用束ね具。
【発明の詳細な説明】
【技術分野】
【０００１】
本発明は、傘を閉じた際、隣設する親骨間毎に略三角形状に畳まれる生布部分を巻いて、簡単且つ確実に束ねられる傘用束ね具に関するものである。
【背景技術】
【０００２】
従来よりこの傘用束ね具（傘用束ねリング装置）は、傘を閉じたときに、隣設する親骨間毎に略三角形状に畳まれる生布部分に断面円形の円環状に形成されると共に外装可能なリング本体と、傘の受骨のランナー寄り部分に装着可能な取付体とを備え、リング本体と取付体とを可撓性を有する連結体で連結している。連結体の端部には取付体が設けられており、この取付体を傘の受骨の所定位置に装着している。
【０００３】
そして、傘の受骨に取付体が取り付けられると共に、この取付体から連結体を介して接続されたリング本体に、傘の中棒が挿通された状態で傘用束ね具がセットされる。リング本体は、傘を開いた状態で、中棒の長手方向略中央に位置し、傘を閉じた状態で、柄部分に位置するようになっている。即ち、傘を閉じた状態で、隣設する親骨間毎に略三角形状に生布部分を折り畳んで、柄部分に位置したリング本体を手指で掴んで、傘の生布部分に移動させることにより、当該生布部分を纏めて束ねられるようになっている（特許文献１参照）。
【０００４】
また、他の傘用束ね具として、適当な上下幅と厚みを有して、中空部を形成する内周面の径を、傘を畳んだ際の最大外径と略同一又はやや小さい長さのリング本体を備えた傘用束ねリングもある。このリング本体の内周面に上下幅にわたって略三角形状の布張り（生布部分）を巻き揃える方向と同じ右傾斜（３０度から６０度の範囲）の溝条を定間隔で形成している。この斜めの溝条が傘の生布部分と当接して係止するようになっている。
【０００５】
そして、リング本体内へ傘を差し入れるに従って又は軽く巻く方向へ傘或いはリングを回転させることによって、生布部分を巻き揃えながらそのままリングを巻着させている。また、内周面が形成する中空部は、下部より上部へ行くに従って径が大きくなるテーパー形状に形成されている。この中空部のテーパーにより、生布部分との当接をより確実にして巻き揃え作用及び巻着作用を向上させると共に、内周面の上・下端部を角が無くなる程度に丸く形成し、これによって、傘の脱着時における生布部分との上下摺動を滑らかにして、生布部分に損傷を与えるのを防止していた（特許文献２参照）。
【特許文献１】登録実用新案公報第３０５８５２３号
【特許文献２】特開２００２−３２０５１０号公報
【発明の開示】
【発明が解決しようとする課題】
【０００６】
しかしながら、前者の傘用束ね具は、リング本体を断面円形の円環状に形成して、傘の柄側から生布部分方向に差し入れられるように構成されており、この状態でリングは傘の柄側に位置するので生布部分を綺麗に巻き揃えできない。このため、隣設する親骨間毎に予め生布部分を略三角形状に折り畳んでからリング本体を傘の柄側から生布部分方向に差し入れなければならず、生布部分にリング本体を差し入れて当該生布部分を巻き揃えるのに多大な手間が掛かってしまうと言う問題がある。
【０００７】
また、リング本体を傘の柄側から生布部分方向に差し入れられるように構成されているため、リング本体を生布部分に移動させる際、親骨を纏めて柄側からリング本体内に差し入れ、その後生布部分にリング本体を移動させなければならない。このため、傘の受骨への取付体の取り付けや傘用束ね具を装着する際の親骨の纏め作業など多大な手間が掛かっていた。また、リング本体を傘の柄側から生布部分に移動させるため、リング本体から石づき（傘の柄と反対側）までの間はリング本体を移動させていないので、どうしてもその間の生布部分に雨水が付着したまま水切りできず、その雨水で手や洋服或いは周囲が濡れてしまうという不都合があった。
【０００８】
また、後者の傘用束ね具は、リング本体の中空部を、傘を畳んだときの最大径と略同一の内径に構成し、通常はリング本体を石づき側から柄の方へ移動して抜き取る構成としていた。しかし、傘には大小異なる大きさのものがあり、また、同じ大きさでも生布部分の厚さ、親骨の太さや本数などにより、傘を畳んだときの生布部分の直径は大小様々ある。このため、内径が一種類のリング本体の中空部では、傘の生布部分が異なる径の場合、きつくてリング本体の中空部内に入らない、或いは、緩くてリング本体が生布部分に保持されず落下してしまうなどという問題があった。
【０００９】
また、リング本体の内周面に上下幅にわたって略三角形状の生布部分を巻き揃える方向と同じ右傾斜の溝条を定間隔で形成しているが、この斜めの溝条は寸法が記載されておらず、傘と比較推測すると幅が狭く深さも浅いものであるため、傘の生布部分と当接しても殆ど保持されずに滑ってしまい、略三角形状の生布部分を巻き揃えるのが極めて困難であるという問題があった。
【００１０】
また、市販されている一般的な傘には略三角形状の生布部分を巻き揃えた後、その周囲を束ねるための束ね紐と、この紐の端部を接続固定するための固定金具が取り付けられている。しかし、傘用束ね具で生布部分を束ねた後、リング本体を取り外す際傘に取り付けられた束ね紐や紐の端部を固定する固定金具にリング本体の内周面との角が引っ掛かって、当該リング本体が抜けない、或いは、無理に抜こうとするとリング本体で束ね紐や紐の端部を固定する固定金具を損傷してしまうという問題があった。また、傘に取り付けられた束ね紐や紐の端部を固定する固定金具に引っ掛からないように角部に大きな湾曲を形成するとリング本体が厚くなってしまい、携帯する際バックに入れると重くて不便となってしまう問題があった。
【００１１】
また、喫茶店や食堂或いはコンビニやスーパーマーケットなどで入り口近傍の傘置き場に傘を置くと、そこから出る際他人の傘と間違えたり、傘を喫茶店や食堂或いはコンビニやスーパーマーケットなどに忘れたりしてしまうため、一般的に自分のテーブルに傘を置く場合が多い。しかしながら、前者及び後者の傘用束ね具では、自分のテーブルに傘を置くと邪魔になり、邪魔にならないように立て掛けておくと倒れてしまうと言う問題があった。
【００１２】
本発明は、係る従来技術の課題を解決するために成されたものであり、傘を閉じる際手を濡らさずに隣設する親骨間毎に略三角形状に畳まれた生布部分を簡単に巻き揃えられると共に、当該巻き揃えた生布部分を確実に保持できる傘用束ね具を提供することを目的とする。
【課題を解決するための手段】
【００１３】
即ち、本発明の傘用束ね具は、束ね具本体と、該束ね具本体に貫通形成された束ね孔とを備え、該束ね孔は、閉じられた傘を当該束ね孔に差し入れたときに、当該傘の隣設する親骨間毎に略三角形状に折り畳まれた生布部分に束ね具本体を外装可能な寸法を有すると共に、相互の間隔が狭い一対の平行な狭窄部と、各狭窄部に隣設された逃げ部空間とを有することを特徴とする。
【００１４】
また、請求項２の発明の傘用束ね具は、上記において、束ね具本体は、束ね孔の周縁部より起立する鍔を有し、該鍔の束ね孔側の内面基部は、滑らかに湾曲していることを特徴とする請求項１に記載の傘用束ね具。
【００１５】
また、請求項３の発明の傘用束ね具は、請求項２に加えて、束ね具本体は板状を呈すると共に、束ね孔よりも当該束ね具本体の縁部側の鍔が起立する側の面に形成された突起若しくは凹みから成る係合部を有することを特徴とする。
【００１６】
また、請求項４の発明の傘用束ね具は、請求項１乃至請求項３のうちの何れかに加えて、束ね具本体は、束ね孔に並設され、当該束ね孔よりも小さい貫通孔を有することを特徴とする。
【発明の効果】
【００１７】
本発明によれば、束ね具本体と、該束ね具本体に貫通形成された束ね孔とを備え、該束ね孔は、閉じられた傘を当該束ね孔に差し入れたときに、当該傘の隣設する親骨間毎に略三角形状に折り畳まれた生布部分に束ね具本体を外装可能な寸法を有すると共に、相互の間隔が狭い一対の平行な狭窄部と、各狭窄部に隣設された逃げ部空間とを有するので、両狭窄部間で挟みきれずに余った生布部分を逃げ部空間に逃がすことが可能となる。これにより、例えば、略三角形状に折り畳まれた生布部分の直径が小さい傘を、両狭窄部の間隔で挟み込める寸法にしておけば、直径が大きい傘の生布部分が両狭窄部間に収まりきれずに余った場合でも、両逃げ部空間内に余った生布部分が入り込むので、当該生布部分を容易に巻き揃えることが可能となる。従って、略三角形状に折り畳まれた生布部分の直径が大小様々な径の傘であっても、傘用束ね具にて傘の生布部分を綺麗に巻き揃えることができる。
【００１８】
また、略三角形状の生布部分を巻き揃えるため、柄を手で持って傘を石づき側から束ね具本体の束ね孔内に差し入れ、束ね孔が生布部分に接触した段階で傘を時計方向に回転させながら柄近傍まで傘用束ね具を移動させるだけで、略三角形状に折り畳まれた生布部分を容易に巻き揃えることができる。これにより、傘用束ね具を生布部分に差し入れる際、予め親骨の纏め作業を行わなくても、極めて簡単に略三角形状に折り畳まれた生布部分を綺麗に巻き揃えることが可能となるものである。
【００１９】
また、略三角形状に折り畳まれた生布部分を綺麗に巻き揃えるため、柄を手で持って傘を石づき側から束ね具本体の束ね孔内に差し入れ、束ね孔内面が生布部分に接触した段階で傘を時計方向に回転させながら柄近傍まで傘用束ね具を移動させているので、生布部分表面に付着した雨水が束ね孔の縁で落下する、所謂生布部分表面の水切りを行うことが可能となる。これにより、生布部分表面に付着した雨水で手や洋服或いは周囲が濡れてしまうなどと言った不都合を未然に防止することができる。
【００２０】
特に、傘の生布部分を巻き揃える際、親指と他の指で生布部分を挟むのと同様に、両側に逃げ部空間を備えた一対の平行な狭窄部で生布部分を挟むようにしているので、両狭窄部で挟んだ生布部分を手で巻き揃えたように綺麗に巻き揃えることが可能となると共に、両狭窄部で生布部分を挟んでいるので、当該両狭窄部が生布部分に確実に保持されて傘用束ね具が生布部分から落下してしまう不都合を未然に防止することが可能となる。これにより、両狭窄部で生布部分を確実に保持することができるので、従来の略三角形状に折り畳まれた生布部分を巻き揃える方向と同じ右傾斜の溝条のように、生布部分が滑ることなく確実に綺麗に巻き揃えることができるので、傘用束ね具の利便性を大幅に向上させることができるようになるものである。
【００２１】
また、請求項２の発明によれば、上記において、束ね具本体は、束ね孔の周縁部より起立する鍔を有し、該鍔の束ね孔側の内面基部は、滑らかに湾曲しているので、例えば、束ね具本体と鍔により束ね孔側の内面基部に束ね具本体の厚さよりも大きな湾曲部を形成することが可能となる。これにより、市販されている一般的な傘には略三角形状に折り畳まれた生布部分を巻き揃えた後、その周囲を束ねるための束ね紐と、この紐の端部を固定するための固定金具が取り付けられているが、閉じられた傘を当該束ね孔に差し入れ、略三角形状に折り畳まれた生布部分を巻き揃える際、大きな湾曲部によって束ね具本体が束ね紐やこの紐の端部を固定するための固定金具に引っ掛かることなく滑らかに差し入れることが可能となる。従って、束ね紐や紐の端部を固定す金具を損傷してしまうなどと言った不都合を確実に防止することができ、傘用束ね具の利便性を大幅に向上させることができる。
【００２２】
特に、束ね具本体は、束ね孔の周縁部より鍔を起立させることにより、束ね具本体の厚さよりも大きく滑らかな湾曲を形成することができるので、従来の傘用束ね具のように傘に取り付けられた束ね紐や紐の端部を固定する固定金具に引っ掛かってしまうのを防止するため、リング本体を厚くして角部に大きな湾曲を形成した場合に対して、束ね具本体の大幅な軽量化を図ることが可能となる。これにより、傘用束ね具をバックに入れて携帯する場合にも軽くて持ち運び易くなり、傘用束ね具の利便性を大幅に向上させることができる。
【００２３】
また、請求項３の発明によれば、請求項２に加えて、束ね具本体は板状を呈すると共に、束ね孔よりも当該束ね具本体の縁部側の鍔が起立する側の面に形成された突起若しくは凹みから成る係合部を有するので、例えば、閉じられた傘を傘用束ね具の束ね孔に差し入れ、略三角形状に折り畳まれた生布部分を巻き揃えた後、係合部をテーブルの縁などに引っ掛けることが可能となる。これにより、喫茶店や食堂などに行った際、入り口近傍の傘置き場に傘を置くことなく、自分が使用するテーブルの縁に傘を置いても倒れたり邪魔になってしまう不都合を未然に防止することができる。従って、傘を喫茶店や食堂などに忘れたりしてしまう不都合を未然に防止することができ、総じて、傘用束ね具の利便性を更に向上させることができる。
【００２４】
また、請求項４の発明によれば、請求項１乃至請求項３のうちの何れかに加えて、束ね具本体は、束ね孔に並設され、当該束ね孔よりも小さい貫通孔を有するので、例えば貫通孔に鎖や紐などを通すことができる。これにより、貫通孔にキーホルダやマスコットなどの鎖や紐を通して保持することができるので、喫茶店や食堂或いはコンビニやスーパーマーケットなどで入り口近傍の傘置き場に傘を置いた場合でも、キーホルダやマスコットを視認するだけで他人の傘と間違えたりしてしまう不都合を確実に防止することが可能となる。従って、更に傘用束ね具の利便性を極めて向上させることができるようになる。
【図面の簡単な説明】
【００２５】
【図１】本発明の一実施例を示す傘用束ね具の斜視図である（実施例１）。
【図２】本発明の一実施例を示す傘用束ね具の平面図である。
【図３】本発明の一実施例を示す傘用束ね具の側面図である。
【図４】本発明の一実施例を示す傘用束ね具（図２のＡ−Ａ線矢視図）の縦断側面図である。
【図５】本発明の一実施例を示す傘用束ね具（傘を石づき側から差し入れる状態）の側面図である。
【図６】本発明の一実施例を示す傘用束ね具（傘を石づき側から差し入れた状態）の側面図である。
【図７】本発明の一実施例を示す傘用束ね具（傘用束ね具にてテーブルの縁に傘を吊した状態）の側面図である。
【図８】本発明の一実施例を示す傘用束ね具（貫通孔にキーホルダを保持した状態）の平面図である。
【図９】本発明の他の一実施例を示す傘用束ね具（束ね具本体の一部に溝を設けた状態）の平面図である（実施例２）。
【図１０】本発明の一実施例を示す傘用束ね（両狭窄部間に生布部分の直径が比較的細い傘と、比較的太い傘を入れた状態）の平面図である。
【図１１】本発明の他の一実施例を示す傘用束ね具の斜視図である（実施例３）。
【発明を実施するための最良の形態】
【００２６】
本発明は、隣設する親骨間毎に略三角形状に折り畳まれた傘の生布部分の直径が大小異なる場合に、一つの傘用束ね具にて生布部分を巻き揃えられない不都合を一つの傘用束ね具にて生布部分を巻き揃えることを主な特徴とする。直径が大小異なる傘の生布部分を一つの傘用束ね具で巻き揃えると言う目的を、束ね孔に相互の間隔が狭い一対の平行な狭窄部と、各狭窄部に隣設された逃げ部空間とを設けただけの簡単な構造で実現した。
【実施例１】
【００２７】
次に、図面に基づき本発明の実施の形態を詳述する。図１は本発明の一実施例を示す傘用束ね具の斜視図、図２は本発明の一実施例を示す傘用束ね具の平面図、図３は本発明の一実施例を示す傘用束ね具の側面図、図４は本発明の一実施例を示す傘用束ね具（図２のＡ−Ａ線矢視図）の縦断側面図をそれぞれ示している。
【００２８】
本実施形態における傘用束ね具１０は、図１、図２、図３に示すように板状の束ね具本体１２と、この束ね具本体１２に閉じられた傘５０（図５に図示）を石づき５６側から差し入れられる束ね孔１８が貫通形成されている。詳しくは、束ね具本体１２は、厚さ約２．０ｍｍの合成樹脂板にて構成されると共に、この束ね具本体１２の略中央に当該束ね具本体１２の表裏を貫通して束ね孔１８が形成されている。
【００２９】
該束ね孔１８は、相互に平行に対向して形成された一対の狭窄部２０と、両狭窄部２０の両端に半円弧形状に形成された一対の逃げ部空間２２とからなる長孔に形成されている。この束ね孔１８は、閉じられた傘５０の隣設する親骨５２（図５に図示）間毎に略三角形状に折り畳まれた生布部分５４に外装可能に構成されている。また、束ね具本体１２には、当該束ね具本体１２と一体に突出片１４が形成されている。この突出片１４は、一方の狭窄部２０側に位置すると共に、束ね具本体１２と同一面に、平面状に形成され、束ね孔１８の離間方向に突出して、山形に形成されている。
【００３０】
また、一方の狭窄部２０は、束ね具本体１２の突出片１４側に位置し、他方の狭窄部２０は一方の狭窄部２０と相互に対向する形で平行に形成されている。また、両逃げ部空間２２は、対向する両狭窄部２０の両側にそれぞれ位置して半円弧状に形成されている。そして、両狭窄部２０間の寸法を約３８．０ｍｍ、両逃げ部空間２２の端から端までの寸法を約４６．０ｍｍとしている。
【００３１】
詳しくは、突出片１４側に位置する狭窄部２０と、対向位置に設けられた狭窄部２０間の寸法は、各逃げ部空間２２の端から端までの寸法より約８．０ｍｍ狭く構成されている。即ち、両狭窄部２０の間隔は、両逃げ部空間２２の離間側両端の間隔より狭く構成されている。この両狭窄部２０の間隔は、隣設する親骨５２間毎に略三角形状に折り畳まれた生布部分５４の太さ（直径）が比較的細い寸法の傘５０に使用した場合に、当該傘５０を縦にした状態（石づき５６側が下の状態）で、束ね具本体１２が生布部分５４に保持され、滑って落下しない寸法に構成されている。
【００３２】
そして、束ね孔１８は、生布部分５４の太さが比較的太い傘５０が差し入れられた場合、両狭窄部２０間に生布部分５４が挟まれても損傷せず、余った生布部分５４が両逃げ部空間２２内に入り込むように構成されている。詳しくは、隣設する親骨５２間毎に略三角形状に折り畳まれた生布部分５４の太さが比較的太い傘５０は、両狭窄部２０間に挟まれて余った生布部分５４は両逃げ部空間２２内に入り込むと共に、両狭窄部２０間に生布部分５４が挟まれた状態で、傘用束ね具１０が落下しないように構成されている。
【００３３】
これにより、一般に市販されている生布部分５４が比較的細い傘５０から比較的太い傘５０であっても、一つの傘用束ね具１０にてそれら細い傘５０や太い傘５０の生布部分５４を容易に巻き揃えられると共に、傘用束ね具１０が生布部分５４に保持されて落下しないように構成されている。尚、生布部分５４の太さが比較的細い寸法の傘５０とは、市販されている数多くの傘５０の中で、略三角形状に折り畳まれた状態で、卷回された生布部分５４の太さの内の、細いものは直径約４５．０ｍｍの一般的な傘５０（折り畳み傘や一般的な傘５０よりも細い特殊な傘を除く）を指し、太いものは、生布部分５４の太さが直径約５０．０ｍｍの一般的な傘５０を指している。
【００３４】
また、束ね具本体１２には、束ね孔１８の周縁部より当該束ね具本体１２のどちらか一面側に略直角に起立する鍔２４を有している。この鍔２４は、束ね具本体１２の厚さ同等な厚さにて構成されると共に、一面側に約４．０ｍｍ延在している。そして、この鍔２４の束ね孔１８側の内面基部（束ね具本体１２の鍔２４と反対側の面側に位置する束ね孔１８の角部）に滑らかな湾曲部２８（図４に図示）が形成（本発明の周囲角部が湾曲に形成に相当）されている。
【００３５】
詳しくは、束ね具本体１２の一面側から束ね孔１８の周縁部から起立する鍔２４の、当該束ね孔１８内面の周囲角部に半径約２．０〜４．０ｍｍの湾曲にて形成された湾曲部２８を設けている。即ち、傘５０に取り付けられた図示しない束ね紐や紐の端部を固定する固定金具に引っ掛かってしまうのを防止するため、束ね具本体１２と、起立する鍔２４の束ね孔１８周縁角部に、当該束ね具本体１２から鍔２４の起立方向に湾曲する湾曲部２８が形成されている。
【００３６】
一方、束ね具本体１２には、石づき５６側から傘５０を束ね孔１８内に差し入れ、隣設する親骨５２間毎に略三角形状に折り畳まれた生布部分５４を巻き揃えて、当該束ね具本体１２を傘５０の柄５８（図５に図示）近傍に保持させた状態で、テーブル６０（図７に図示）の縁に吊り下げられる係合部を備えている。該係合部は、鍔２４が起立する側の面の束ね具本体１２に形成されると共に、突出片１４の先端部分近傍（束ね孔１８の離間側）に形成されている。
【００３７】
この係合部は、直径約３．０ｍｍ、高さ約４．０ｍｍの円筒形に形成され、先端は半円球に形成された突起３０にて構成されている。そして、この突起３０がテーブル６０の縁近傍に載置されることにより、柄５８を上にした状態で石づき５６側から束ね孔１８内に差し入れられた傘５０を、テーブル６０の縁に吊り下げられるように構成されている。即ち、突起３０がテーブル６０の縁から滑り落ちないように当該突起３０を束ね具本体１２の突出片１４端部の縁に設けると共に、束ね具本体１２がテーブル６０の縁に当たらないように当該束ね具本体１２より突起３０を突出させている。これにより、突起３０をテーブル６０上面の縁近傍に当接させた状態で、傘５０の重心が突起３０の真下に位置して、当該傘５０がテーブル６０に吊り下げられるようになっている。
【００３８】
また、束ね具本体１２には、図８に示すように鎖や紐などを通すことが可能な貫通孔３２が突起３０と束ね孔１８との間に設けられており、この貫通孔３２は、束ね孔１８よりも小さい直径約７．０ｍｍの大きさを呈している。該貫通孔３２は束ね具本体１２の表裏を貫通して設けられると共に、突起３０近傍にそれぞれ設けられている。即ち、束ね具本体１２は、束ね孔１８よりも小さい貫通孔３２を有すると共に当該貫通孔３２は束ね孔１８に並設されている。これにより、鎖や紐にてキーホルダ６２（マスコットなどを含む）を貫通孔３２に保持することが可能となる。
【００３９】
そして、傘用束ね具１０に傘５０を装着する場合、図５に示すように柄５８を持って傘用束ね具１の束ね孔１８内に石づき５６側から傘５０を差し入れる（図中白抜き矢印方向）。そして、生布部分５４が束ね孔１８に接触したら、柄５８（生布部分５４）を時計方向に回転（図中実線矢印）させながら更に束ね孔１８内に差し入れていく。更に、図６白抜き矢印で示すように束ね孔１８内に石づき５６側から柄５８近傍まで傘５０が差し入れられる。即ち、傘５０を束ね孔１８内で回転させながら、石づき５６側から柄５８方向へ移動させていく。このとき、傘用束ね具１０は点線から実線へ移動することになる。これにより、予め親骨５２の纏め作業を行わなくても、略三角形状に折り畳まれた生布部分５４を極めて簡単に巻き揃えることが可能となる。
【００４０】
このように、束ね具本体１２と、該束ね具本体１２に貫通形成された束ね孔１８とを備え、該束ね孔１８は、閉じられた傘５０を当該束ね孔１８に差し入れたときに、当該傘５０の隣設する親骨５２間毎に略三角形状に折り畳まれた生布部分５４に束ね具本体１２を外装可能な寸法を有すると共に、相互の間隔が各逃げ部空間２２の両端寸法より狭い一対の平行な狭窄部２０と、各狭窄部２０に隣設された逃げ部空間２２とを有するので、両狭窄部２０間で挟みきれず（収まらず）に余った生布部分５４を逃げ部空間２２に逃がすことが可能となる。
【００４１】
これにより、例えば、略三角形状に折り畳まれた生布部分５４の直径が小さい傘５０を、両狭窄部２０の間隔で挟み込める寸法にしておけば、直径が大きい傘５０の生布部分５４が両狭窄部２０間に収まりきれずに余った場合でも、両逃げ部空間２２内に余った生布部分５４が入り込むので、当該生布部分５４を容易に巻き揃えることが可能となる。従って、略三角形状に折り畳まれた生布部分５４の直径が大小様々な径の傘５０であっても、束ね孔１８に両狭窄部２０と、これら各狭窄部２０に隣設された逃げ部空間２２とを備えているので、傘用束ね具１０にて傘の生布部分５４を綺麗に巻き揃えることができる。
【００４２】
また、略三角形状に折り畳まれた生布部分５４を巻き揃えるため、柄５８を手で持って傘５０を石づき５６側から束ね具本体１２の束ね孔１８内に差し入れ、束ね孔１８が生布部分５４に接触した段階で傘５０を右回りに回転させながら柄５８近傍まで傘用束ね具１０を移動させるだけで、略三角形状に折り畳まれた生布部分５４を容易に巻き揃えることができる。これにより、傘用束ね具１０を生布部分５４に差し入れる際、予め親骨５２の纏め作業を行わなくても、極めて簡単に略三角形状に折り畳まれた生布部分５４を綺麗に巻き揃えることが可能となる。
【００４３】
また、略三角形状に折り畳まれた生布部分５４を巻き揃えるため、柄５８を手で持って傘５０を石づき５６側から束ね具本体１２の束ね孔１８内に差し入れ、束ね孔１８内面が生布部分５４に接触した段階で傘５０を右回りに回転させながら柄５８近傍まで傘用束ね具１０を移動させているので、生布部分５４表面に付着した雨水が束ね孔１８の縁で落下する、所謂生布部分５４表面の水切りを行うことが可能となる。これにより、生布部分５４表面に付着した雨水で手や洋服或いは周囲が濡れてしまうという不都合を未然に防止することができる。
【００４４】
特に、傘５０の生布部分５４を巻き揃える際、親指と他の指で生布部分５４を挟むのと同様に、両側に逃げ部空間２２を備えた一対の平行な狭窄部２０で生布部分５４を挟むようにしているので、両狭窄部２０で挟んだ生布部分５４を手で巻き揃えたように綺麗に巻き揃えることができると共に、両狭窄部２０で生布部分５４を挟んでいるので、当該両狭窄部２０が生布部分５４に確実に保持されて傘用束ね具１０が当該生布部分５４から落下してしまう不都合を防止することが可能となる。これにより、両狭窄部２０で確実に生布部分５４を保持することができるので、従来の略三角形状に折り畳まれた生布部分５４を巻き揃える方向と同じ右傾斜の溝条のように、生布部分５４が滑ることもなく、確実に綺麗に巻き揃えることができるので、傘用束ね具１０の利便性を大幅に向上させることができる。
【００４５】
また、束ね具本体１２は、束ね孔１８の周縁部より起立する鍔２４を有し、該鍔２４の束ね孔１８側の内面基部２２は、滑らかに湾曲しているので、例えば、束ね具本体１２と鍔２４により束ね孔１８側の内面基部２２に束ね具本体１２の厚さよりも大きな湾曲部２８を形成することが可能となる。これにより、例えば、市販されている一般的な傘５０には略三角形状に折り畳まれた生布部分５４を巻き揃えた後、その周囲を束ねるための束ね紐と、この紐の端部を固定するための固定金具が取り付けられているが、閉じられた傘５０を当該束ね孔１８に差し入れ、略三角形状に折り畳まれた生布部分５４を巻き揃える際、大きな湾曲部２８によって束ね具本体１２が束ね紐やこの紐の端部を固定するための固定金具に引っ掛かることなく滑らかに差し入れることが可能となる。従って、束ね紐や紐の端部を固定す金具を損傷してしまうなどと言った不都合を確実に防止することができる。
【００４６】
特に、束ね具本体１２は、束ね孔１８の周縁部より鍔２４を起立させることにより、大きい滑らかな湾曲（湾曲部２８）を形成することができるので、従来のように傘５０に取り付けられた束ね紐や紐の端部を固定する固定金具に引っ掛かってしまうのを防止するため、傘用束ね具のリング本体を厚くして角部に大きな湾曲を形成した場合に対して、束ね具本体１２の大幅な軽量化を図ることが可能となる。これにより、傘用束ね具１０をバックに入れて携帯する場合にも軽くて持ち運び易くなり、傘用束ね具１０の利便性を大幅に向上させることができる。
【００４７】
また、束ね具本体１２は板状を呈すると共に、束ね孔１８よりも当該束ね具本体１２の縁部側の鍔２４が起立する側の面に形成された突起若しくは凹みから成る係合部を有するので、例えば、閉じられた傘５０を傘用束ね具１０の束ね孔１８に差し入れ、略三角形状に折り畳まれた生布部分５４を巻き揃えた後、係合部をテーブル６０の縁などに引っ掛けることが可能となる。これにより、喫茶店や食堂などに行った際、入り口近傍の傘置き場に傘５０を置くことなく、自分の側のテーブル６０の縁に傘５０を置いても倒れたり邪魔になることがない。従って、傘５０を喫茶店や食堂などに忘れたりしてしまう不都合を未然に防止することができる。
【００４８】
また、束ね具本体１２は、束ね孔１８に並設され、当該束ね孔１８よりも小さい貫通孔３２を有するので、例えば貫通孔３２に鎖や紐などを通すことができる。これにより、貫通孔３２にキーホルダやマスコットなどの鎖や紐を通して保持することができるので、喫茶店や食堂或いはコンビニやスーパーマーケットなどで入り口近傍の傘置き場に傘５０を置いた場合でも、キーホルダやマスコットを視認するだけで他人の傘５０と間違えたりしてしまう不都合を確実に防止することが可能となる。
【実施例２】
【００４９】
次に、図９には本発明の他の実施例の傘用束ね具１０を示している。該傘用束ね具１０は、前述の実施形態と略同じ構成を有している。以下、異なる部分について説明する。尚、前述の実施の形態と同じ部分にはこれと同じ符号を付し、説明を省略する。傘用束ね具１０は、図９に示すように一方の逃げ部空間２２（図中右側）が位置する束ね具本体１２に切り欠き部４０を設け、反対側に切り込み部４２を設けている。即ち、狭窄部２０の一側に切り欠き部４０、狭窄部２０の他側に切り込み部４２を設けている。
【００５０】
該切り欠き部４０は、束ね孔１８から当該束ね具本体１２の外周縁まで０．２ｍｍ〜１．０ｍｍの幅で束ね具本体１２が切り欠かれ、これにより束ね孔１８内と束ね具本体１２の外部とが連通している。この切り欠き部４０は、束ね孔１８に太い傘５０が差し入れられた場合に拡開すると共に両狭窄部２０が相互に離間して幅が広くなり、当該束ね孔１８内に太い傘５０を差し入れられるように構成されている。
【００５１】
また、切り込み部４２は、鍔２４の外縁（束ね孔１８の外側）から束ね具本体１２の外周縁まで、当該束ね具本体１２が切り欠かれている。この切り込み部４２は、束ね孔１８側が広く、外周方向に行くに従って狭く構成され、先端部（束ね具本体１２の外周縁側）は所定寸法開いた隙間部４４、この隙間部４４の束ね孔１８側の壁（鍔２４）を反り部４６としている。該反り部４６は、束ね孔１８内に太い傘５０が差し入れられ、両狭窄部２０が相互に離間するとき反るように構成されている。また、隙間部４４は、束ね孔１８内に太い傘５０が差し入れられた場合よりも反り部４６が反ってしまうのを防止できるように構成されている。これにより、反り部４６が応力限界を超えてしまうのを防止すると共に、当該反り部４６の損傷や破損してしまうのを防止している。
【００５２】
そして、両狭窄部２０間（束ね孔１８内）に、隣設する親骨５２間毎に略三角形状に折り畳まれた生布部分５４の太さが比較的細い寸法の傘５０が差し入れられた場合に束ね具本体１２が保持され、当該傘５０を縦にした状態（石づき５６側が下の状態）で束ね具本体１２が滑って落下しないように構成されている。即ち、生布部分５４の太さが細い寸法の傘５０では、切り欠き部４０が開くことなく、束ね具本体１２は生布部分５４に保持される。
【００５３】
また、図１０に示すように、隣設する親骨５２間毎に略三角形状に折り畳まれた生布部分５４の太さが極めて太い径の場合、両狭窄部２０間で挟みきれずに余った生布部分５４（図示せず）が逃げ部空間２２内を満たし、更に余っている生布部分５４により両狭窄部２０間を押し広げる。これにより、反り部４６が反って切り欠き部４０が開く（図中実線矢印）とにより、束ね孔１８内が広くなるので、当該束ね孔１８内に太い生布部分５４を差し入れることができる。従って、隣設する親骨５２間毎に略三角形状に折り畳まれた生布部分５４の太さが極めて太い径であっても、束ね孔１８内に傘５０を差し入れることが可能になると共に、生布部分５４に束ね具本体１２を保持することができる。尚、図中細い傘５０の生布部分５４を点線で図示し、太い傘５０の生布部分５４を実線で図示している。
【００５４】
これにより、一般に市販されている生布部分５４が比較的細い傘５０から比較的太い傘５０であっても、一つの傘用束ね具１０にて、それらの太い傘５０や細い傘５０の生布部分５４を綺麗に巻き揃えられると共に、傘用束ね具１０が落下してしまうのを防止し保持することができる。従って、傘用束ね具１０の利便性を極めて大幅に向上させることができる。
【００５５】
尚、実施の形態では、束ね孔１８を逃げ部空間２２が半円弧形状に形成された長孔としたが、束ね孔１８は長孔に限られず、逃げ部空間２２を方形とした長方形、或いは、半円弧形状の逃げ部空間２２に複数の角を備えた６角形（多角形）を設けることもできる。この場合も、長孔にて形成した束ね孔１８同様の効果を得ることができる。
【００５６】
また、係合部を円筒形の突起３０としたが、係合部は円筒形の突起３０に限られず、角柱であっても差し支えない。また、係合部は、突起３０と同じ位置に凹み３４（図４のみ図示）を設けても差し支えない。この場合、凹み３４は狭窄部２０と略平行に形成されると共に、束ね具本体１２の突出片１４の先端近傍に位置してテーブル６０の角に引っ掛かる深さに彫り込まれている。そして、閉じられた傘５０を傘用束ね具１０の束ね孔１８に差し入れ、略三角形状に折り畳まれた生布部分５４を巻き揃えた後、凹み３４をテーブル６０の縁などに引っ掛けることができる。これにより、凹み３４は突起３０と略同等の効果を得ることができる。
【実施例３】
【００５７】
次に、図１１には本発明の他の実施例の傘用束ね具１０を示している。該傘用束ね具１０は、前述の実施形態と略同じ構成を有している。以下、異なる部分について説明する。尚、前述の実施の形態と同じ部分にはこれと同じ符号を付し、説明を省略する。傘用束ね具１０は、図１１に示すように一方の狭窄部２０側に位置する突出片１４同様の突出片１４が形成されている。この突出片１４は、他方の狭窄部２０側に位置すると共に、一方の狭窄部２０側に位置する突出片１４同様に構成されている。
【００５８】
即ち、両狭窄部２０を挟んで両側に突起３０と貫通孔３２を備えた突出片１４が形成されている。これにより、閉じられた傘５０を傘用束ね具１０の束ね孔１８に差し入れ、略三角形状に折り畳まれた生布部分５４を巻き揃えた後、どちら側の係合部でもテーブル６０の縁などに引っ掛けることが可能となる。これにより、束ね具本体１２を僅か回転させるだけで、どちらか一方の係合部をテーブル６０側に位置させることができるので、一方の係合部を極めて容易にテーブル６０の縁などに引っ掛けることができ、傘用束ね具１０の利便性を大幅に向上させることができる。
【００５９】
尚、実施形態では傘用束ね具１０の形状や寸法或いは角度などを記載したが、傘用束ね具１０の要旨を逸脱しない範囲内で束ね具本体１２及び逃げ部空間２２、湾曲部２８、突起３０、貫通孔３２、切り欠き部４０、切り込み部４２、隙間部４４、反り部４６などの形状や寸法を変更しても良いのは言うまでもない。勿論本発明は、上記各実施例のみに限定されるものではなく、この発明の趣旨を逸脱しない範囲で他の様々な変更を行っても本発明は有効である。
【符号の説明】
【００６０】
１０  傘用束ね具
１２  束ね具本体
１４  突出片
１８  束ね孔
２０  狭窄部
２２  逃げ部空間
２４  鍔
２８  湾曲部
３０  突起
３２  貫通孔
５０  傘
５２  親骨
５４  生布部分
【図１】
2014018344.tif 000003
【図２】
2014018344.tif 000004
【図３】
2014018344.tif 000005
【図４】
2014018344.tif 000006
【図５】
2014018344.tif 000007
【図６】
2014018344.tif 000008
【図７】
2014018344.tif 000009
【図８】
2014018344.tif 000010
【図９】
2014018344.tif 000011
【図１０】
2014018344.tif 000012
【図１１】
2014018344.tif 000013